(57)【要約】  【課題】  電池と電池パックとを収納することができ、収納物の保護に優れた薄型電池用トレイを提供する。  【解決手段】  電池パック９の外周形状に沿った凹壁の第１の凹部１１の底面に、ポリマー電池１の主面に形成されている素電池による凸形状と、ポリマー電池１の両側面に素電池による凸形状に沿って設けられているラミネートフィルムの折り返しとが嵌合される第２の凹部１４を設ける。凹部１５には、ラミネートフィルムの折り返しが嵌合される。これにより、電池と電池パックとを収納することができる。【選択図】        図６
2005150021.tif 000002
【特許請求の範囲】
【請求項１】
薄型電池が内蔵された電池パックを収納する薄型電池用トレイにおいて、
上記電池パックの外周形状に沿った凹壁の第１の凹部を複数個有しており、
上記複数個の第１の凹部のそれぞれの底面に上記薄型電池の主面に形成されている素電池による凸形状と、上記薄型電池の両側面に上記凸形状に沿って設けられた外装材の折り返しとが嵌合される第２の凹部が設けられている
ことを特徴とする薄型電池用トレイ。
【請求項２】
請求項１に記載の薄型電池用トレイにおいて、
上記薄型電池は、上記外装材としてラミネートフィルムを用いるポリマー電池であることを特徴とする薄型電池用トレイ。
【請求項３】
請求項１に記載の薄型電池用トレイにおいて、
上記第１の凹部の凹壁の一部に凹みが設けられていることを特徴とする薄型電池用トレイ。
【請求項４】
請求項１に記載の薄型電池用トレイにおいて、
上記薄型電池の電極リードは、上記第１の凹部に配置されることを特徴とする薄型電池用トレイ。
【発明の詳細な説明】
【技術分野】
【０００１】
この発明は、薄型電池用トレイに関し、特に、ポリマー電池などの扁平型の二次電池を複数個収納して、搬送、保管などする際に使用して好適な薄型電池用トレイに関する。
【背景技術】
【０００２】
近年、携帯電話機、デジタルカメラ、携帯型コンピュータ機器などの携帯型電子機器で使用されるエネルギーデバイスが注目を浴びている。特に、薄型・軽量で安全性に富んでいるポリマー電池には大きな期待が寄せられている。ここで、ポリマー電池について簡単に説明する。
【０００３】
ポリマー電池は、正極と負極とを巻回してなる素電池を、ラミネートフィルムからなる外装材で包み込み、外装材の周囲を熱溶着することで封止した構造とされている。
【０００４】
素電池には、第１および第２の電極リードが設けられている。第１の電極リードは、電池を構成する負極と電気的に接続された負極端子であり、第２の電極リードは、素電池を構成する正極と電気的に接続された正極端子である。これら第１および第２の電極リードは、外装材の外部へと引き出されている。
【０００５】
ポリマー電池の搬送、保管などは、通常、専用のトレイに収納した状態で行われる。図１２〜図１５は、ポリマー電池を収納するトレイの一例の構成を示す。図１２は、ポリマー電池を収納した状態の上面図であり、図１３は、ポリマー電池を収納した状態の斜視図であり、図１４は、ポリマー電池を取り出した状態の斜視図であり、図１５は、ポリマー電池を収納した状態の断面図である。
【０００６】
電池専用トレイ１１０は、扁平型のポリマー電池１００を嵌め込み収納する凹部１１１を有する。なお、図示省略しているが、凹部１１１は、電池専用トレイ１１０に例えば縦横複数個設けられている。すなわち、電池専用トレイ１１０は、複数個のポリマー電池１００を収納可能な構成とされている。凹部１１１は、嵌合されたポリマー電池１００が揺動しないように、ポリマー電池１００の外周形状に沿った凹み形状とされている。すなわち、電池専用トレイ１１０は、ポリマー電池１００の外周で位置決めする構造とされている。なお、ポリマー電池１００のマイナス端子である電極リード１０１およびプラス端子である電極リード１０２を保護するため、これら電極リード部の周囲の凹みは、電極リード１０１および１０２の形状よりも大きめに設けられている。電極リード部は、電極リード間の電池の中央部を凹部１１１の突起部１１２で押さえる位置決め構造とされている。
【０００７】
また、凹部１１１は、凹部１１３および１１４を有しており、これら凹みによって部分的にポリマー電池１００の外周形状よりも大きくなっている。凹部１１３は、凹部１１１を成型するときに金型形状により形成された凹みであり、凹部１１４は、指入れ用に設けられた凹みである。これら凹部１１３および１１４が凹部１１１に設けられていることにより、電池専用トレイ１１０に嵌合されているポリマー電池１００を取り出し易くしている。
【０００８】
図１５に示すように、凹部１１１は、ポリマー電池１００を完全に埋没させる深さとされており、底面にポリマー電池１００の外周形状よりもひと回り小さい凹部１１５が設けられている。凹部１１５は、凹部１１１に嵌合したポリマー電池１００の体裁面が外圧により傷や凹みなどのダメージを受けにくいように設けられている。
【０００９】
ポリマー電池は、搬送、保管などする際に、通常、このような専用トレイに収納されて取り扱われる。
【００１０】
ポリマー電池は、通常、電池パックに内蔵されて使用される。電池パックは、ポリマー電池をプラスチックや金属などの比較的硬い材料からなる外装ケースに収納した構造とされている。電池パックは、外部端子であるマイナス端子とプラス端子を有している。マイナス端子は、ポリマー電池のマイナス端子側の電極リードと電気的に接続されており、プラス端子は、ポリマー電池のプラス電極側の電極リードと電気的に接続されている。また、電池パックには、過充放電や温度の異常上昇から電池を保護する保護回路が内蔵されている。
【００１１】
電池パックの搬送、保管などは、専用のトレイに収納した状態で行われる。図１６〜図１９は、電池パックを収納するトレイの一例の構成を示す。図１６は、電池パックを収納していない状態の上面図であり、図１７は、電池パックを収納した状態の上面図であり、図１８は、電池パックを収納した状態の斜視図であり、図１９は、電池パックを取り出した状態の斜視図である。
【００１２】
電池パックトレイ１３０は、電池パック１２０が嵌め込まれる凹部１３１を有する。なお、図示省略しているが、凹部１３１は、電池パックトレイ１３０に例えば縦横複数個設けられている。すなわち、電池パックトレイ１３０は、複数個の電池パック１２０を収納可能な構成とされている。凹部１３１は、嵌合された電池パック１２０が揺動しないように、電池パック１２０の外周形状に沿った凹み形状とされている。すなわち、電池パックトレイ１３０は、電池パック１２０の外周で位置決めする構造とされている。
【００１３】
また、凹部１３１は、凹部１３２および１３３を有しており、これら凹みによって部分的に電池パック１２０の外形周囲よりも大きくなっている。凹部１３２は、凹部１３１を形成するときに金型形状により形成された凹みであり、凹部１３３は、指入れ用に設けられた凹みである。これら凹部１３２および１３３が凹部１３１に設けられていることにより、電池パックトレイ１３０に嵌合された電池パック１２０を取り出し易くしている。なお、凹部１３１は、電池パック１２０を完全に埋没させる深さとされている。
【００１４】
電池パックは、搬送、出荷および保管などする際に、通常、このような専用のトレイに収納されて取り扱われる。
【００１５】
このような、搬送、保管などで使用されるトレイは、無駄なく効率良く使用できることが好ましい。下記の特許文献１には、電子部品の実装装置の構成を簡略化でき、高効率の実装作業を行うことができ、かつ、収納すべき部品数に応じて任意に組み合わせることができるトレイが記載されている。
【００１６】
【特許文献１】特開平１０−２１１９８７号公報
【発明の開示】
【発明が解決しようとする課題】
【００１７】
しかしながら、上述した従来の電池を収納するトレイは、電池の外周部で位置決めする構造とされているため、この電池が組み込まれた電池パックは、電池形状よりも大きくなるため電池を収納するトレイに電池パックを収納することはできなかった。したがって、電池には電池専用のトレイが必要であった。また、電池をトレイに収納する際に電極リード間の電池中央部を支持する位置決め用の突起に電極リードが当たり電極リードを変形させる可能性があった。また、搬送時の振動で電極リード間の電池中央部を支持する位置決め用の突起が電池のラミネート部に当たり傷や凹みなどのダメージを与える場合があるという問題点があった。
【００１８】
また、上述した従来の電池パックを収納するトレイは、寸法上、電池を収納することが可能だが、この場合、電池とトレイとのクリアランスが大きく、搬送時の振動や衝撃で電池に傷や凹みなどのダメージを与えてしまうという問題点があった。したがって、電池パックには電池パック専用のトレイが必要であった。このため、電池を電池パックに組み込む工場などでは、電池納入に使用された電池専用のトレイを廃棄していた。また、電池パック収納面が平坦であるため、電池パックの外装ケース体裁面を傷つける恐れがあった。
【００１９】
したがって、この発明の目的は、電池と電池パックとを収納することができ、収納物の保護に優れた薄型電池用トレイを提供することにある。
【課題を解決するための手段】
【００２０】
上記目的を達成するために、この発明は、薄型電池が内蔵された電池パックを収納する薄型電池用トレイにおいて、電池パックの外周形状に沿った凹壁の第１の凹部を複数個有しており、複数個の第１の凹部のそれぞれの底面に薄型電池の主面に形成されている素電池による凸形状と、薄型電池の両側面に凸形状に沿って設けられた外装材の折り返しとが嵌合される第２の凹部が設けられていることを特徴とする薄型電池用トレイである。
【発明の効果】
【００２１】
この発明による薄型電池用トレイでは、電池パックの外周形状に沿った凹壁の第１の凹部を複数個有しており、複数個の第１の凹部のそれぞれの底面に薄型電池の主面に形成されている素電池による凸形状と、薄型電池の両側面に凸形状に沿って設けられた外装材の折り返しとが嵌合される第２の凹部が設けられていることにより、第１の凹部に電池パックを収納することができ、第２の凹部に電池を収納することができる。したがって、この発明によれば、電池を収納するトレイと電池パックを収納するトレイとを同じとすることができる。これにより、電池を電池パックに組み込む工場などにおいて、電池専用トレイを廃棄する必要がなくなり、資源を有効的に利用することができるという効果を奏する。
【００２２】
また、第２の凹部に電池を収納する際、電池の両側面における外装材の折り返し部が位置決めに利用される為、搬送時などの振動で電池に傷や凹みなどのダメージを与えることを防止できるという効果を奏する。電極周辺に位置決め用の突起を必要としない為、電極や電極周辺の外装材が傷や凹みなどのダメージを受けることを防止することができる。
【００２３】
また、電池パックを収納する第１の凹部の底面に電池を収納する第２の凹部による凹みが設けられていることで、搬送時の振動などにより収納された電池パック体裁面に傷が付くことを防止することができるという効果を奏する。
【発明を実施するための最良の形態】
【００２４】
この発明による薄型電池用トレイは、薄型電池とその電池パックとが収納可能である。まず、この発明の実施形態について説明する前に、この発明の実施形態による薄型電池用トレイに収納される薄型電池およびその電池パックの一例について説明する。以下は、薄型電池として適用可能なポリマー電池の説明である。
【００２５】
図１および図２は、薄型ポリマー電池の外観構成の一例を示す。図１は、薄型平面の一方（凹凸側とする）からの斜視図であり、図２は、薄型平面の他方（平担側とする）からの斜視図である。ポリマー電池１は、正極と負極とを巻回してなる素電池を、ラミネートフィルムからなる外装材２で包み込み、外装材２の周囲を熱溶着することで封止した構造とされている。ラミネートフィルムは、例えば薄い金属板の両面に薄いプラスチック板を貼り合わせた複合板で構成されている。金属板の材料は、例えば、アルミニウムである。プラスチック板の材料は、ポリエステル、ポリプロピレン、ポリイミド、ポリアミドなどである。
【００２６】
素電池には、電極リード３および４が設けられている。電極リード３は、素電池を構成する負極と電気的に接続された負極端子であり、電極リード４は、素電池を構成する正極と電気的に接続された正極端子である。これら電極リード３および４は、外装材２の外部へと引き出されている。電極リード３および４は、薄いニッケルなどの金属箔により構成されている。したがって、電極リード３および４は、外圧によって変形し易い。また、電極リード３および４の周辺の外装材２（ラミネート）は、外圧によって変形し易い構造とされている。
【００２７】
図１に示すように、ポリマー電池１の一方の主面、すなわち凹凸側には、リード電極３および４と素電池の厚みによる凸形状が形成されている。外装材凸部５は、電極リード３による凸形状であり、外装材凸部６は、電極リード４による凸形状であり、外装材凸部７は、素電池による凸形状である。なお、図２に示すように、ポリマー電池１の他方の主面、すなわち平坦側は、平面形状とされている。
【００２８】
ポリマー電池１は、両側面に外装材凸部７に沿って平坦側から凹凸側へと折り返された外装材２による折り返し部８を有する。
【００２９】
ポリマー電池１は、電池パックに内蔵されて使用される。図３および図４は、ポリマー電池１を内蔵した電池パックの構成の一例を示す。図３は、電池パックの正面図であり、図４は、電池パックの斜視図である。
【００３０】
電池パック９は、ポリマー電池１をプラスチックや金属などの比較的硬い材料からなる外装ケースに収納した構造とされている。電池パック９は、外部端子であるマイナス端子とプラス端子を有している。電池パック９のマイナス端子は、ポリマー電池１の電極リード３と電気的に接続されており、電池パック９のプラス端子は、ポリマー電池１の電極リード４と電気的に接続されている。また、電池パックには、過充放電や温度の異常上昇から電池を保護する保護回路が内蔵されている。
【００３１】
電池パック９は、ポリマー電池１を内蔵する為、ポリマー電池１よりも全体的に外形が大きい。すなわち、ポリマー電池１と電池パック９とは、外形寸法が異なる。したがって、従来は、ポリマー電池１を収納するトレイと電池パック９を収納するトレイは、それぞれ別の専用トレイとする必要があった。この発明の実施形態による電池用トレイは、ポリマー電池１の収納と電池パック９の収納とを兼用するものである。
【００３２】
以下、この発明の一実施形態による薄型電池用トレイについて説明する。この発明の一実施形態による薄型電池用トレイは、ポリマー電池１が内蔵された電池パック９を収納するトレイにおいて、ポリマー電池１を収納可能とするものである。図５および図６は、一実施形態による薄型電池用トレイの一例の構成を示す。図５は、薄型電池用トレイの上面図であり、図６は、薄型電池用トレイの収納イメージを示す斜視図である。
【００３３】
薄型電池用トレイである電池用トレイ１０の材料は、特に限定されないが、軽量で加工性に富み、剛性に優れたプラスチックや金属などが好ましい。なお、アルミニウムなどの金属は、電極のショートの防止を考慮する必要があるため、プラスチック材料がより好ましい。特に、加工性、剛性、低価格などの点から、ポリスチレンが好ましい。
【００３４】
電池用トレイ１０は、トレイ形状としてポリマー電池１の収納部と電池パック９の収納部とに段差を設けることで、外形寸法が異なるポリマー電池１のトレイと電池パック９のトレイとを兼用している。ポリマー電池１の収納部は、電池パック９の収納部よりも凹んでいる。すなわち、電池用トレイ１０は、電池パック９を収納する第１の凹部１１を有しており、第１の凹部１１の底面に、ポリマー電池１を収納する第２の凹部１４を有している。第２の凹部１４の凹み部外周がポリマー電池１の位置決めに寄与している。
【００３５】
第１の凹部１１は、電池パック９の外周形状に沿った凹壁を有する。例えば、電池パック９の外周形状が四角形で形成されている場合には、第１の凹部１１は、この四角形の４辺を押さえる構造を有する。したがって、電池用トレイ１０は、第１の凹部１１に収納する電池パック９を電池パック９の外周で支持する構造とされている。これにより、電池用トレイ１０は、第１の凹部１１に嵌合された電池パック９が動かないように固定することができる。なお、電池パック９の外周部には、突起が設けられているため、第１の凹部１１は、この突起に当たる部分が凹み形状とされている。
【００３６】
第１の凹部の凹壁の一部には、凹みが設けられている。すなわち、第１の凹部１１には、凹部１２および１３が設けられており、これら凹みによって、部分的に電池パック９の外周形状よりも大きい構造とされている。凹部１２は、指入れ用の凹みであり、例えば第１の凹部１１の４隅に設けられる。凹部１３は、第１の凹部１１および第２の凹部１４を成型するときに金型形状により形成された凹みである。これら凹部１２および凹部１３が第１の凹部１１に設けられていることにより、電池用トレイ１０に嵌合した電池パック９を取り出し易くしている。
【００３７】
図７および図８は、電池パック９を電池用トレイ１０の第１の凹部１１に嵌め込み収納した状態を示す。図７は、電池用トレイ１０の上面図であり、図８Ａは、第１の凹部１１の長手方向の断面図であり、図８Ｂは、第１の凹部１１の短手方向の断面図である。
【００３８】
図７に示すａ部〜ｊ部が電池パック９の外周を支持する凸部形状とされている。ａ部〜ｃ部が外周形状が四角形の電池パック９の４辺のうちの第１の辺を支持しており、ｄ部およびｅ部が第２の辺を支持しており、ｆ部〜ｈ部が第３の辺を支持しており、ｉ部およびｊ部が第４の辺を支持している。したがって、第１の凹部１１によって、電池パック９の外周側面の４辺が支持されている。
【００３９】
図８Ａおよび図８Ｂに示すように、第１の凹部１１は、電池パック９を完全に埋没させる深さとされている。また、第１の凹部１１の底面は、電池パック９を支持する平坦面１７を有しており、さらに底面には、段差状に第２の凹部１４が設けられている。ポリマー電池１と電池パック９は、幅寸法に大きな差は無いものの、長手方向には大きな寸法差がある。これを利用して第２の凹部１４は、電池パック９を嵌合した際に電池パック９が落ち込まないように、第１の凹部１１の長手方向の両端に平坦面１７が十分に取れる位置に設けられている。
【００４０】
図６に示すように、ポリマー電池１は、凹凸側を下向きにして電池用トレイ１０に収納される。第２の凹部１４は、ポリマー電池１の外装材凸部７と折り返し部８とを嵌合する凹み形状を有する。したがって、第２の凹部１４には、ポリマー電池１の外装材凸部７の側面から突出した折り返し部８が嵌合される折り返し用凹部１５および１６が設けられている。ポリマー電池１を第２の凹部１４に嵌合する向きおよび方向は、これら凹部１５および凹部１６によって決定される。
【００４１】
電池用トレイ１０は、第２の凹部１４に収納するポリマー電池１をポリマー電池１の外装材凸部７および折り返し部８で位置決めする構造とされている。ポリマー電池１の長手方向は、外装材凸部７と折り返し部８の両端で位置決めし、短手方向は、折り返し部８の側面で位置決めしている。これにより、電池用トレイ１０は、第２の凹部１４に嵌合されたポリマー電池１が動かないように固定することができる。
【００４２】
図９および図１０は、ポリマー電池１を電池用トレイ１０の第２の凹部１４に嵌め込み収納した状態を示す。図９は、電池用トレイ１０の上面図であり、図１０Ａは、第２の凹部１４の長手方向の断面構成であり、図１０Ｂは、第２の凹部１４の短手方向の断面構成である。
【００４３】
図９に示すｋ部〜ｎ部がポリマー電池１を支持している。ｋ部は、外周形状が四角形のポリマー電池１の４辺のうちの第１の辺方向を外装材２の一方の折り返しで支持しており、ｌ部は、第２の辺方向を外装材凸部７で支持しており、ｍ部は、第３の辺方向を他方の折り返しで支持しており、ｎ部は、第４の辺方向を外装材凸部７で支持している。
【００４４】
電極リード３および４は、第１の凹部１１による空間に配置されている。これにより、電極リード３および４の周囲は、大きく逃げられており、位置決め部に電極リード３および４が接触することを防止している。また、電極リード３および４側は、ｎ部において外装材凸部７でポリマー電池１を支持することで、電極リード３および４の周囲における外装材２の変形を防止している。
【００４５】
図１０Ａおよび図１０Ｂに示すように、第２の凹部１４は、ポリマー電池１を電池用トレイ１０に完全に埋没させる深さとされている。また、第２の凹部１４の底面は、ポリマー電池１を支持する平坦面１８を有している。
【００４６】
図１１は、電池用トレイに電池と電池パックを収納したイメージを示す断面図である。図１１Ａは、第１の凹部１１および第２の凹部１４の長手方向の断面構成を示し、図１１Ｂは、第１の凹部１１および第２の凹部１４の短手方向の断面構成を示す。
【００４７】
図１１Ａおよび図１１Ｂに示すように、第２の凹部１４をポリマー電池１が揺動しない程度に浅く設けることで、電池用トレイ１０の厚みを薄くすることができる。第２の凹部１４を深く設けた場合には、ポリマー電池１の安定性を向上することができる。
【００４８】
なお、以上の電池用トレイ１０の説明に使用した図は、ポリマー電池１と電池パック９をそれぞれ一個ずつ収納する１区画のみを示したものであり、全体図を省略しているが、電池用トレイ１０は、第１の凹部１１と第２の凹部１４による収納部を複数個有している。すなわち、電池用トレイ１０は、複数個のポリマー電池１、電池パック９を収納可能な構成とされている。
【００４９】
以上説明したように、この発明の一実施形態による電池用トレイ１０では、電池パック９を収納する第１の凹部１１の底面にポリマー電池１を収納する第２の凹部１４を段差状に設けていることにより、ポリマー電池１と電池パック９の収納を兼用することができる。例えば、ポリマー電池１の出荷元が電池用トレイ１０のポリマー電池１を収納して出荷すれば、出荷先であるポリマー電池１を電池パック９に組み込む工場などは、電池パック９にポリマー電池１を組み込んだ後に、電池用トレイ１０を電池パック９のトレイとして使用できる。これにより、ポリマー電池１を電池パック９に組み込む工場などが電池専用トレイを廃棄する必要がなくなり、資源の有効利用が図れる。
【００５０】
電池用トレイ１０によれば、ポリマー電池１を外装材凸部７と折り返し部８とで位置決めする為、電極リード３および４の周辺を凹ませる必要がない。したがって、平坦面１７を広く設けることができる。これにより、電池パック９を収納した際に、第２の凹部１４に電池パック９が落ち込むことを防止できる。また、搬送時などに位置決め部との接触によりポリマー電池１の電極リード３および４や外装材２などが変形したり傷が付いたりすることを防止できる。
【００５１】
電池用トレイ１０によれば、第１の凹部１１に電池パック９を収納した場合、ポリマー電池１を収納する第２の凹部１４により底面が凹んでいる為、搬送時の振動などにより、電池パック９の体裁面が傷つくことを防止することができる。
【００５２】
この発明は、上述したこの発明の実施形態に限定されるものでは無く、この発明の要旨を逸脱しない範囲内で様々な変形や応用が可能である。例えば、上述した一実施形態では、電池用トレイ１０に収納されるポリマー電池１および電池パック９を外周側面が四角形であるものとして説明したが、ポリマー電池１および電池パック９の形状は、これに限らず、丸形、楕円形、他の多角形などの他の形状に適用することもできる。また、電極リードの構成も一実施形態によるものに限定されるものではない。
【００５３】
また、電池用トレイ１０に収納される電池をポリマー電池１としたが、電池の種類は、ポリマー電池に限らず、リチウムイオン電池、リチウムポリマ電池、ニッケル水素電池、ニッカド電池、リチウム金属電池や、今後開発される種類の電池などに適用することができる。外装材による折り返しを有さない種類の電池であっても、電池の位置決めを素電池部の凸部で行うことができる。
【００５４】
また、上述した一実施形態の第２の凹部１４に、第１の凹部１１の凹部が有する凹部１３と同様な指入れ用の凹みを設けてもよい。これにより、電池用トレイ１０に嵌合したポリマー電池１を取り出し易くすることができる。また、第２の凹部１４の底面に、さらに段差状に凹部を設けても良い。これにより、搬送時の振動などで、ポリマー電池１の体裁面が傷つくことを防止することができる。
【図面の簡単な説明】
【００５５】
【図１】この発明に適用可能な一例の電池の外観を示す凹凸側からの斜視図である。
【図２】この発明に適用可能な一例の電池の外観を示す平坦側からの斜視図である。
【図３】この発明に適用可能な一例の電池パックの外観を示す上面図である。
【図４】この発明に適用可能な一例の電池パックの外観を示す斜視図である。
【図５】この発明の一実施形態による電池用トレイの一例の構成を示す上面図である。
【図６】電池用トレイの収納イメージを示す斜視図である。
【図７】電池用トレイに電池パックを収納した状態を示す上面図である。
【図８】電池用トレイに電池パックを収納した状態を示す断面図である。
【図９】電池用トレイに電池を収納した状態を示す上面図である。
【図１０】電池用トレイに電池を収納した状態を示す断面図である。
【図１１】電池用トレイに電池と電池パックを収納したイメージを示す断面図である。
【図１２】従来の電池を収納するトレイの一例の構成を示す上面図である。
【図１３】従来の電池を収納するトレイに電池を収納した状態を示す斜視図である。
【図１４】従来の電池を収納するトレイから電池を取り出した状態を示す斜視図である。
【図１５】従来の電池を収納するトレイに電池を収納した状態を示す断面図である。
【図１６】従来の電池パックを収納するトレイの一例の構成を示す上面図である。
【図１７】従来の電池パックを収納するトレイに電池パックを収納した状態を示す上面図である。
【図１８】従来の電池パックを収納するトレイに電池パックを収納した状態を示す斜視図である。
【図１９】従来の電池パックを収納するトレイから電池パックを取り出した状態を示す斜視図である。
【符号の説明】
【００５６】
１・・・ポリマー電池、８・・・折り返し部、９・・・電池パック、１０・・・電池用トレイ、１１・・・第１の凹部、１４・・・第２の凹部、１５，１６・・・折り返し用凹部
【図１】
2005150021.tif 000003
【図２】
2005150021.tif 000004
【図３】
2005150021.tif 000005
【図４】
2005150021.tif 000006
【図５】
2005150021.tif 000007
【図６】
2005150021.tif 000008
【図７】
2005150021.tif 000009
【図８】
2005150021.tif 000010
【図９】
2005150021.tif 000011
【図１０】
2005150021.tif 000012
【図１１】
2005150021.tif 000013
【図１２】
2005150021.tif 000014
【図１３】
2005150021.tif 000015
【図１４】
2005150021.tif 000016
【図１５】
2005150021.tif 000017
【図１６】
2005150021.tif 000018
【図１７】
2005150021.tif 000019
【図１８】
2005150021.tif 000020
【図１９】
2005150021.tif 000021